(57)【要約】【課題】キャスターの交換が容易なペットキャリーの提供を目的とする。【解決手段】内部にペットを収容するケース本体部と、当該ケース本体部の底部にキャスターとを備え、前記キャスターはキャスター車輪と、ケース本体部の底部に取り付けたキャスター軸受部材とを有し、前記キャスター軸受部材がケース本体部の底部に取付交換可能になっていることを特徴とする。【選択図】  図１
2014093989.tif 000002
【特許請求の範囲】
【請求項１】
内部にペットを収容するケース本体部と、
当該ケース本体部の底部にキャスターとを備え、
前記キャスターはキャスター車輪と、ケース本体部の底部に取り付けたキャスター軸受部材とを有し、
前記キャスター軸受部材がケース本体部の底部に取付交換可能になっていることを特徴とするペットキャリー。
【請求項２】
前記キャスターはケース本体部の底部であってその後部に有し、
ケース本体部の前方側を持ち上げて走行でき、
前記ケース本体部の底部は下方に突設した取付部を有し、
前記キャスター軸受部材は嵌着凹部を有し、
前記嵌着凹部を前記取付部に嵌着し固定することを特徴とする請求項１記載のペットキャリー。
【請求項３】
前記キャスター車輪は対向する一対の車輪部材を中心部で車軸連結してあり、
前記キャスター軸受部材は枢着凹部を有し、
前記キャスター車輪の車軸を前記枢着凹部に枢着することを特徴とする請求項１又は２記載のペットキャリー。
【請求項４】
前記キャスター車輪は自己潤滑性樹脂材で製作してあることを特徴とする請求項１〜３のいずれかに記載のペットキャリー。
【請求項５】
前記ケース本体部の上部であって、前後２ヶ所に車両シートのシートベルトの引掛部を有することを特徴とする請求項１〜４のいずれかに記載のペットキャリー。
【請求項６】
前記引掛部は平面視でＨ形状の溝であって、当該Ｈ形状の溝のうち平行溝がケース本体部の幅方向に沿った引掛溝を有することを特徴とする請求項５記載のペットキャリー。
【発明の詳細な説明】
【技術分野】
【０００１】
本発明は、犬，猫及びその他の動物等のペットを入れて運ぶためのペットキャリーに関し、特に比較的大きいペット用に好適である。
【背景技術】
【０００２】
ケースにペットを入れて運ぶのにケースの底面にキャスターを取り付けたものがある。
例えば特許文献１にケース体の後方側の底面にキャスターを取り付け、前方側に脚部を突設することで前方側を上に引き上げて傾けた状態でも走行可能なペットキャリーを開示する。
しかし、このようにケース体の前方側を上方に引き上げて傾けた状態で走行すると、キャスターへの負担が大きく、キャスターの軸受部の摩耗が激しかったり、キャスターの車軸の摩耗，変形が生じやすい問題があった。
特に大きいペット用の大型キャリーになると、その影響が大きく、またケースを車両座席シートに載せ、固定するのも大変であった。
【先行技術文献】
【特許文献】
【０００３】
【特許文献１】特開平８−２８０２９１号公報
【発明の概要】
【発明が解決しようとする課題】
【０００４】
本発明は、キャスターの交換が容易なペットキャリーの提供を目的とする。
また、第２の目的として、車両の座席シートに固定するのが容易なペットキャリーの提供を目的とする。
【課題を解決するための手段】
【０００５】
本発明に係るペットキャリーは、内部にペットを収容するケース本体部と、当該ケース本体部の底部にキャスターとを備え、前記キャスターはキャスター車輪と、ケース本体部の底部に取り付けたキャスター軸受部材とを有し、前記キャスター軸受部材がケース本体部の底部に取付交換可能になっていることを特徴とする。
ペットキャリーは軽量化が要求されているものの、大きいペット用になると大型になり、キャスターに対する負荷が大きく、キャスターの軸受部材や車軸の摩耗が激しい。
そこで、本発明はキャスターの軸受部材の交換を可能にした点に特徴がある。
従って、本発明に係るペットキャリーは四輪タイプのものでもよいが、ケース本体部の前方側を上に持ち上げて傾けた状態で走行するタイプのペットキャリーの場合に特にキャスターへの負荷が大きく有効である。
【０００６】
本発明において、キャスターはケース本体部の底部であってその後部に有し、ケース本体部の前方側を持ち上げて走行でき、前記ケース本体部の底部は下方に突設した取付部を有し、前記キャスター軸受部材は嵌着凹部を有し、前記嵌着凹部を前記取付部に嵌着し固定するようにしてもよい。
このようにするとキャスター軸受部材の嵌着凹部をケース本体部の突設した取付部に嵌め込むように連結できるので着脱交換しやすい。
本明細書ではペットキャリーが走行する方向を前後方向と表現し、その直交方向を幅方向と表現する。
従って、キャスターが前後の一方にしか設けていない場合、ケース本体部のキャスターの付いていない方を前方側、キャスターの付いている方を後方側と表現した。
【０００７】
本発明において、キャスター車輪は対向する一対の車輪部材を中心部で車軸連結してあり、前記キャスター軸受部材は枢着凹部を有し、前記キャスター車輪の車軸を前記枢着凹部に枢着するようにしてもよい。
ここで、枢着凹部とはキャスター車輪の車軸を凹部の開口部から嵌め込むように枢着し、枢着した後はキャスター車輪が枢着凹部の内側を回転するものである。
枢着方向としてはキャスター車輪の車軸を下方から又は斜め下方からキャスター軸受部材の枢着凹部に嵌め込み、枢着できるものが好ましい。
このようにするとキャスター軸受部材を交換する際にキャスター車輪の取り外しも容易である。
また、キャスター車輪は自己潤滑性樹脂材で製作してあってもよい。
ここで自己潤滑性樹脂とは、摩擦係数が低く摺動性に優れる樹脂をいい、代表例としてはポリアセタール樹脂，ポリアミド樹脂，ふっ素樹脂等が挙げられる。
【０００８】
本発明に係るペットキャリーは、キャスターに負荷がかかりやすい大型のペットキャリーに適する。
例えば大きいペット用には、前後方向の寸法が幅方向の寸法よりも長く、前後方向の長さが６００〜１０００ｍｍ，幅方向が４００〜７００ｍｍ，高さが４００〜７００ｍｍのものもある。
このような大きいペットキャリーは、車両の座席シートに載せて運搬する際にこの座席シートに固定するのが大変である。
そこで本発明において、ケース本体部の上部であって前後の２ヶ所に車両シートのシートベルトを引掛ける引掛部を有するようにしてもよい。
また、この際にケース本体部の幅方向の側面のどちらが座席シートの背もたれ側になってもシートベルトに固定しやすいように、引掛部は平面視でＨ形状の溝であって、当該Ｈ形状の溝のうち、平行溝がケース本体部の幅方向に沿った引掛溝を有していてもよい。
引掛部はケース本体部に一体的に成型してもよく、別部材をケース本体部に取り付けてもよい。
別部材を取り付けることで、ハンドルの保持部を重ねて剛性アップを図ったものでもよい。
【発明の効果】
【０００９】
本発明に係るペットキャリーは、キャスターの交換が容易で特にキャスター軸受部材の取替交換を可能にしたので、仮にキャスター軸受部材が摩耗してもケース本体部の底部に取り付けたこのキャスター軸受部材を交換するだけでペットキャリーの走行性が元に戻る。
【図面の簡単な説明】
【００１０】
【図１】本発明に係るペットキャリーの外観図を示し、（ａ）は前方の扉側上方から見た状態を示し、（ｂ）は後方底面側から見た状態を示す。
【図２】キャスターの部品構成図を示す。
【図３】キャスターの組み込み図を示し、（ａ）はケース本体部の底部に軸受部材を嵌着する状態、（ｂ）は軸受部材をケース本体部の取付部に固定した状態、（ｃ）はキャスター車輪を軸受部材に枢着させた状態を示す。
【図４】軸受部材を示し、（ａ）は底部側から見た斜視図、（ｂ）は上方から見た斜視図を示す。
【図５】（ａ）はキャスターの側面図、（ｂ）はその断面図を示す。
【図６】（ａ）はキャスターの背面図、（ｂ）はその断面図を示す。
【図７】（ａ）はペットキャリーの上面の斜視図、（ｂ）は平面図を示す。
【図８】（ａ）は車両の座席シートの左右のシートベルトを用いてペットキャリーを固定する例で、（ｂ），（ｃ）は引掛部の拡大図を示す。
【図９】（ａ）は車両の座席に１つのシートベルトでペットキャリーを固定する例で、（ｂ），（ｃ）は引掛部の拡大図を示す。
【図１０】ペットキャリーの底面に４つのサブキャスターを取り付ける例を示す。（ａ）は取付部の拡大図、（ｂ）は全体図を示す。
【図１１】前方のハンドルにて前方側を持ち上げ走行する状態を示す。
【発明を実施するための形態】
【００１１】
本発明に係るペットキャリー１０の構造例を以下図面に基づいて説明するが、本発明はこれに限定されない。
本発明に係るペットキャリー１０は、図１１に示すようにケース本体部１１の前方を持ち上げて、後部のキャスター（キャスター車輪１８）にて走行するのに適している。
なお、ケース本体部１１の前方にベルト等を取り付けて持ち上げてもよいが、本実施例ではケース本体部の上部にハンドル１４を設けた例になっている。
【００１２】
図１に外観図を示す。
ペットキャリー１０は、ペットを収容するケース本体部１１の前方に扉１２を有し、後方の底部１１ｂにキャスターを有する。
図１に示した例のケース本体部１１は、樹脂製の上部ケースと下部ケースとをボルト等で締結した例になっているが、形状や構造に限定はない。
ケース本体部１１の上部１１ａには、前方部と後方部との前後に一対のハンドル１４，１５と、後述するシートベルトの引掛溝１６ａ，１７ａを有する引掛部１６，１７を設ける。
引掛溝１６ａ，１７ａは、溝が略Ｈ字状に形成されＨ字状の溝のうち、平行溝が幅方向に沿った、即ち扉１２の前面と平行に設けられている。
扉１２はメッシュ状になっていて、ケース本体部１１に着脱自在であり、幅方向左右であって、ロック操作部１３，１３から上下に一対のロック棒１３ａ，１３ａが扉の開閉軸を兼ねて上下方向に突没自在に設けてある。
操作部１３の上下に設けたプッシュ部材１３ｃを押すと、ロック棒１３ａがロック孔１３ｂから外れるようになっている。
これにより、扉１２は左右のうち、どちらの一方を扉軸としても開閉することができるので、左右のうち一方を選択的に開閉できる。
キャスターは図２，３に示すように、ケース本体部１１の底部の後方側に切欠き凹部１１ｃを形成し、この切欠き凹部１１ｃから下方に向けて突設した取付部１１ｄに取替可能に取り付けてある。
キャスターは、キャスター軸受部材１９とキャスター車輪１８からなる。
キャスター軸受部材１９は図４に示すように、ケース本体部１１の突設した取付部１１ｄに被せるように嵌め込むための嵌着凹部１９ｄを有する。
また、このキャスター軸受部材１９をケース本体部１１の取付部１１ｄに嵌着した状態で側面に設けた取付孔１９ｃを介してビス１９ｅ等で取付部１１ｅに固定できるようになっている。
本実施例は、キャスター軸受部材１９をケース本体部の取付部１１ｄにビス止めする例であるが、取替可能であればこのような固定方法に限定されない。
【００１３】
キャスター軸受部材１９は、底部側に図５（ｂ）に示すように略半円状の枢着凹部１９ａを形成するとともに開口部の左右に突起１９ｂ，１９ｂを形成することで、キャスター軸受部材１９を樹脂材とすると、その変形を利用してキャスター車輪の車軸１８ｂを下から上方に向けて嵌め込むように枢着できる。
枢着凹部が半円状になっていて、開口部の左右に突起１９ｂ，１９ｂを有するので、車輪１８が脱落することなく回転する。
キャスター車輪１８は、対向する一対の車輪部材１８ａ，１８ａを中心の車軸１８ｂで連結した構造になっていて、車軸１８ｂの長さがキャスター軸受部材１９の厚みよりも少しだけ長い。
この枢着状態を図６に示す。
キャスター軸受部材１９の枢着凹部１９ａとキャスター車輪の車軸１８ｂとは相互に摺接回動するので、摩耗しやすい。
そこで、少なくとも一方は低い摩擦係数の自己潤滑性樹脂材で製作してあるのが好ましい。
本実施例では、キャスター車輪１８をポリアセタール樹脂で製作し、キャスター軸受部材１９をポリプロピレン樹脂材で製作した。
【００１４】
次に本発明に係るペットキャリー１０を車両の座席シートにシートベルトを用いて固定する例を説明する。
図７に示すようにケース本体部１１の上部１１ａの前後部の両方に一対のハンドル１４，１５とともに一対の引掛部１６，１７を取り付けた。
この引掛部１６，１７は、略Ｈ字状の引掛溝１６ａ，１７ａに形成してある。
Ｈ字状の溝のうち、平行溝がケース本体部の幅方向に沿っている。
これにより、図８，図９に示すようにＨ字状の引掛溝１６ａ，１７ａの幅方向左右の引掛片（１６ｂ，１６ｃ），（１７ｂ，１７ｃ）のどちらにもシートベルト２を引掛けることができ、シート１に対してケース本体部１１の幅方向側面のどちら側を背もたれ側に位置させてもシートベルト２に引掛けることができる。
前後方向のハンドル１４，１５にてケース本体部１１を持ち上げ、座席シート１の上に載置する。
左右の座席のシートベルト２，２を用いて固定する例を図８に示し、左右一方の座席に１つのシートベルト２にて固定する例を図９に示す。
このようにケース本体部１１の前後部の両方に一対の引掛部１６，１７を設けたので、大型のペットキャリーであっても安定して固定できる。
【００１５】
ペットキャリー１０は、後方部にのみキャスターを取り付けて使用するとともに、例えば図１０に示すようにケース本体部１１の底面（底部）１１ｂにビス等によるサブキャスターの取付面１１ｆを４ヶ所に設け、４つのサブキャスター１１９を取り付けることも可能である。
【符号の説明】
【００１６】
１０      ペットキャリー
１１      ケース本体部
１１ｄ    取付部
１２      扉
１４      ハンドル
１５      ハンドル
１６      引掛部
１６ａ    引掛溝
１７      引掛部
１７ａ    引掛溝
１８      キャスター車輪
１８ａ    車輪部材
１８ｂ    車軸
１９      キャスター軸受部材
１９ａ    枢着凹部
【図１】
2014093989.tif 000003
【図２】
2014093989.tif 000004
【図３】
2014093989.tif 000005
【図４】
2014093989.tif 000006
【図５】
2014093989.tif 000007
【図６】
2014093989.tif 000008
【図７】
2014093989.tif 000009
【図８】
2014093989.tif 000010
【図９】
2014093989.tif 000011
【図１０】
2014093989.tif 000012
【図１１】
2014093989.tif 000013